【手続補正書】
【提出日】平成19年9月26日(2007.9.26)
【手続補正１】
【補正対象書類名】明細書
【補正対象項目名】特許請求の範囲
【補正方法】変更
【補正の内容】
【特許請求の範囲】
【請求項１】
ガラス板を加熱炉で成形温度まで加熱し、加熱されたガラス板をローラコンベアの複数のローラで形成される搬送面に沿って搬送するとともに、前記ローラをガラス板の搬送位置に応じて上下動させることにより前記搬送面の一部をガラス板搬送方向に湾曲させてガラス板を自重により所望の曲率に曲げ成形するガラス板の曲げ成形装置において、
前記ローラは、湾曲ローラであり、
前記湾曲ローラは、湾曲可能なシャフトと、このシャフトに回転自在に挿通させるとともにシャフトを中心に回転する複数のリングローラとを有し、
前記シャフトの少なくとも一方の端部は、昇降機構を介して架台に支持され、
前記リングローラの少なくとも一方の端部は、所定の回転駆動手段に回転力伝達可能に連結され、
前記昇降機構によって前記シャフトの端部を上昇させることにより、前記ガイドシャフトを湾曲させ、複数のリングローラで形成される前記搬送面を湾曲させることを特徴とするガラス板の曲げ成形装置。
【請求項２】
前記シャフトの両端部は、それぞれ前記昇降機構を介して架台に支持され、かつ該昇降機構からそれぞれ所定距離内側に離れた位置に前記架台上の支持部材に支持され、
前記支持部材を支点として、前記昇降機構によって前記シャフトの両端部を上昇させることにより、前記シャフトを湾曲させ、複数のリングローラで形成される搬送面を湾曲させる請求項１に記載のガラス板の曲げ成形装置。
【請求項３】
前記シャフトは、所望の単曲形状を実現する第１のリンク構造体とこの第１のリンク構造体に並設されかつ所望の単曲形状を実現する第２のリンク構造体とを有する曲率可変ロッドを備え、
前記第１および第２のリンク構造体は、ギア部を介して揺動自在に連結された複数のリンク部材で構成され、
前記各リンク部材は、一定ピッチをなす２個の揺動軸をそれぞれ有し、
前記第１のリンク構造体を構成するリンク部材と、前記第２のリンク構造体を構成するリンク部材とは、互いに半ピッチずれた状態で前記揺動軸を共有する請求項１に記載のガラス板の曲げ成形装置。
【請求項４】
ガラス板を加熱炉で成形温度まで加熱し、加熱されたガラス板をローラコンベアの複数のローラで形成される搬送面に沿って搬送するとともに、前記ローラをガラス板の搬送位置に応じて上下動させることにより前記搬送面の一部をガラス板搬送方向に湾曲させてガラス板を自重により所望の曲率に曲げ成形するガラス板の曲げ成形装置において、
前記ローラは、湾曲ローラであり、
前記湾曲ローラは、
可撓自在に構成されたフレキシブルシャフトと、
このフレキシブルシャフトを回転軸とする複数のリングローラと、
このフレキシブルシャフトに連結された湾曲ロッドとを有し、
前記湾曲ロッドを所望の曲率に湾曲させることで、前記フレキシブルシャフトをこの湾曲ロッドに沿って所望の曲率に撓ませ、複数のリングローラで形成される前記搬送面を湾曲させることを特徴とするガラス板の曲げ成形装置。
【請求項５】
前記湾曲ロッドは、
所望の単曲形状を実現する第１のリンク構造体とこの第１のリンク構造体に並設されかつ所望の単曲形状を実現する第２のリンク構造体とを有する曲率可変ロッドを備え、
前記第１および第２のリンク構造体は、ギア部を介して揺動自在に連結された複数のリンク部材で構成され、
前記各リンク部材は、一定ピッチをなす２個の揺動軸をそれぞれ有し、
前記第１のリンク構造体を構成するリンク部材と、前記第２のリンク構造体を構成するリンク部材とは、互いに半ピッチずれた状態で前記揺動軸を共有する請求項４に記載のガラス板の曲げ成形装置。
【請求項６】
前記複数のリングローラは、リングローラ同士を筒状の可撓性部材で連結されている請求項１〜５の何れかに一項に記載のガラス板の曲げ成形装置。
【請求項７】
ガラス板を加熱炉で成形温度まで加熱し、加熱されたガラス板をローラコンベアの複数のローラで形成される搬送面に沿って搬送するとともに、前記ローラをガラス板の搬送位置に応じて上下動させることにより前記搬送面の一部をガラス板搬送方向に湾曲させてガラス板を自重により所望の曲率に曲げ成形するガラス板の曲げ成形装置において、
前記ローラは、湾曲ローラであり、
前記湾曲ローラは、弾性変形により湾曲可能なガイドシャフトと、このガイドシャフトに回転自在に挿通されかつ前記ガイドシャフトの全長よりも短い中空ローラ構造体と、前記中空ローラ構造体から突出した前記ガイドシャフトの一端部を覆う第１の外筒と、前記中空ローラ構造体から突出した前記ガイドシャフトの他端部を覆う第２の外筒とを備え、
前記第１および第２の外筒の一端部は、前記中空ローラ構造体の端部に接続され、かつ、架台上の支持部材に軸受けを介して支持され、
前記第１および／または第２の外筒の他端部は、昇降機構を介して前記架台に支持され、
前記第１および／または第２の外筒の他端部は、所定の回転駆動手段に回転力伝達可能に連結され、
前記支持部材を支点として、前記昇降機構によって前記第１および／または第２の外筒の他端部を上昇させることにより、前記ガイドシャフトおよび前記中空ローラ構造体を湾曲させ、前記中空ローラ構造体で形成される搬送面を湾曲させることを特徴とするガラス板の曲げ成形装置。
【請求項８】
前記中空ローラ構造体は、前記シャフトに挿通された複数のリングローラと、リングローラ同士を連結するための筒状の可撓性部材とで構成されている請求項７に記載のガラス板の曲げ成形装置。
【請求項９】
自動車の窓ガラスに使用されるガラス板を製造する請求項１〜８の何れか一項に記載のガラス板の曲げ成形装置。
【請求項１０】
前記湾曲ローラは、冷却ゾーンに設置されている請求項１〜９の何れか一項に記載のガラス板の曲げ成形装置。
【請求項１１】
所望の単曲形状を実現する第１のリンク構造体とこの第１のリンク構造体に並設されかつ所望の単曲形状を実現する第２のリンク構造体とを有する曲率可変ロッドと、この曲率可変ロッドを回転軸とするリングローラとを備え、
前記第１および第２のリンク構造体は、ギア部を介して揺動自在に連結された複数のリンク部材で構成され、
前記各リンク部材は、一定ピッチをなす２個の揺動軸をそれぞれ有し、
前記第１のリンク構造体を構成するリンク部材と、前記第２のリンク構造体を構成するリンク部材とは、互いに半ピッチずれた状態で前記揺動軸を共有することを特徴とする湾曲ローラ。
【請求項１２】
可撓自在に構成されたフレキシブルシャフトと、
このフレキシブルシャフトを回転軸とする複数のリングローラと、
このフレキシブルシャフトに連結された湾曲ロッドとを備え、
前記湾曲ロッドを所望の曲率に湾曲させることで、この湾曲ロッドに沿って前記フレキシブルシャフトを所望の曲率に撓ませる構成であることを特徴とする湾曲ローラ。
【手続補正２】
【補正対象書類名】明細書
【補正対象項目名】０００９
【補正方法】変更
【補正の内容】
【０００９】
【課題を解決するための手段】
以上の目的を達成するために本発明は、ガラス板を加熱炉で成形温度まで加熱し、加熱されたガラス板をローラコンベアの複数のローラで形成される搬送面に沿って搬送するとともに、前記ローラをガラス板の搬送位置に応じて上下動させることにより前記搬送面の一部をガラス板搬送方向に湾曲させてガラス板を自重により所望の曲率に曲げ成形するガラス板の曲げ成形装置において、前記ローラは、湾曲ローラであり、前記湾曲ローラは、湾曲可能なシャフトと、このシャフトに回転自在に挿通させるとともにシャフトを中心に回転する複数のリングローラとを有し、前記シャフトの少なくとも一方の端部は、昇降機構を介して架台に支持され、記リングローラの少なくとも一方の端部は、所定の回転駆動手段に回転力伝達可能に連結され、前記昇降機構によって前記シャフトの端部を上昇させることにより、前記ガイドシャフトを湾曲させ、複数のリングローラで形成される前記搬送面を湾曲させることを特徴とするガラス板の曲げ成形装置を提供する。
【手続補正３】
【補正対象書類名】明細書
【補正対象項目名】００１１
【補正方法】変更
【補正の内容】
【００１１】
さらに、本発明は、可撓自在に構成されたフレキシブルシャフトと、このフレキシブルシャフトを回転軸とする複数のリングローラと、このフレキシブルシャフトに連結された湾曲ロッドとを備え、前記湾曲ロッドを所望の曲率に湾曲させることで、この湾曲ロッドに沿って前記フレキシブルシャフトを所望の曲率に撓ませる構成であることを特徴とする湾曲ローラを提供する。